【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
第１及び第２のレーザ光を出射する第１のレーザスキャナユニットと、第３及び第４のレーザ光を出射する第２のレーザスキャナユニットと、前記第１のレーザ光が照射される第１の感光体と、前記第２のレーザ光が照射される第２の感光体と、前記第３のレーザ光が照射される第３の感光体と、前記第４のレーザ光が照射される第４の感光体と、を有する画像形成装置において、
前記第１のレーザスキャナユニットは、前記第１のレーザ光が発生する第１の光源と、前記第２のレーザ光が発生する第２の光源と、前記第１及び第２の光源から発生する前記第１及び第２のレーザ光を偏向する第１の回転鏡と、を有し、
前記第２のレーザスキャナユニットは、前記第３のレーザ光が発生する第３の光源と、前記第４のレーザ光が発生する第４の光源と、前記第３及び第４の光源から発生する前記第３及び第４のレーザ光を偏向する第２の回転鏡と、を有し、
前記第３の光源から前記第３の感光体までの前記第３のレーザ光の光路形状は前記第１の光源から前記第１の感光体までの前記第１のレーザ光の光路形状と略同一であり、前記第４の光源から前記第４の感光体までの前記第４のレーザ光の光路形状は前記第２の光源から前記第２の感光体までの前記第２のレーザ光の光路形状と略同一であり、
前記第３の感光体の回転中心と前記第４の感光体の回転中心を結ぶ第２の仮想線が、前記第１の感光体の回転中心と前記第２の感光体の回転中心を結ぶ第１の仮想線に対して傾斜しており、前記第２の回転鏡の回転軸と前記第２の仮想線のなす角が前記第１の回転鏡の回転軸と前記第１の仮想線のなす角に等しいことを特徴とする画像形成装置。
【請求項２】
前記第１のレーザスキャナユニットから出射する前記第１のレーザ光と前記第２のレーザスキャナユニットから出射する前記第３のレーザ光のなす角、及び前記第１のレーザスキャナユニットから出射する前記第２のレーザ光と前記第２のレーザスキャナユニットから出射する前記第４のレーザ光のなす角は、共に前記第１の仮想線と前記第２の仮想線のなす角に等しいことを特徴とする請求項１に記載の画像形成装置。
【請求項３】
前記第２の感光体から前記第１のレーザスキャナユニットの前記第２のレーザ光が出射する位置までの距離と、前記第４の感光体から前記第２のレーザスキャナユニットの前記第４のレーザ光が出射する位置までの距離は等しいことを特徴とする請求項１に記載の画像形成装置。
【請求項４】
前記第１のレーザスキャナユニットは前記第１及び第２の光源と前記第１の回転鏡を保持する第１の光学箱を有し、前記第２のレーザスキャナユニットは前記第３及び第４の光源と前記第２の回転鏡を保持する第２の光学箱を有することを特徴とする請求項１に記載の画像形成装置。
【請求項５】
前記第１の光学箱と前記第２の光学箱は共に同一の金型を用いて製造された樹脂製の成型物であることを特徴とする請求項４に記載の画像形成装置。
【請求項６】
前記第１の光学箱を位置決め及び保持する第１保持部材と、前記第２の光学箱を位置決め及び保持する第２保持部材を有し、前記第１の回転鏡の回転軸と前記第１の仮想線のなす角が前記第２の回転鏡の回転軸と前記第２の仮想線のなす角に等しくなるように、前記第２保持部材が前記第１保持部材に対して傾斜していることを特徴とする請求項４に記載の画像形成装置。
【請求項７】
前記第１の光学箱及び前記第２の光学箱を位置決め及び保持する保持部材を有し、前記第１の回転鏡の回転軸と前記第１の仮想線のなす角が前記第２の回転鏡の回転軸と前記第２の仮想線のなす角に等しくなるように、前記保持部材に設けられた二つの位置決め部が角度を有していることを特徴とする請求項４に記載の画像形成装置。
【請求項８】
前記第１の光学箱と前記第２の光学箱のなす角は、前記第１の仮想線と前記第２の仮想線のなす角に等しいことを特徴とする請求項４に記載の画像形成装置。
【請求項９】
前記第１乃至第４のレーザ光の光路形状は全て略同一であることを特徴とする請求項１に記載の画像形成装置。
【請求項１０】
前記第１乃至第４のレーザ光の光路を形成している4系統の光学系に用いられている光学素子は４系統とも光学的に略同一のものであることを特徴とする請求項１に記載の画像形成装置。
【請求項１１】
前記第１乃至第３の感光体の回転中心は一直線上に並んでおり、前記第４の感光体の回転中心がこの直線上から外れていることを特徴とする請求項１に記載の画像形成装置。
【請求項１２】
第１及び第２のレーザ光を出射する第１のレーザスキャナユニットと、第３及び第４のレーザ光を出射する第２のレーザスキャナユニットと、前記第１のレーザ光が照射される第１の感光体と、前記第２のレーザ光が照射される第２の感光体と、前記第３のレーザ光が照射される第３の感光体と、前記第４のレーザ光が照射される第４の感光体と、を有する画像形成装置において、
前記第１のレーザスキャナユニットは、前記第１のレーザ光が発生する第１の光源と、前記第２のレーザ光が発生する第２の光源と、前記第１及び第２の光源から発生する前記第１及び第２のレーザ光を偏向する第１の回転鏡と、を有し、
前記第２のレーザスキャナユニットは、前記第３のレーザ光が発生する第３の光源と、前記第４のレーザ光が発生する第４の光源と、前記第３及び第４の光源から発生する前記第３及び第４のレーザ光を偏向する第２の回転鏡と、を有し、
前記第１のレーザスキャナユニットの二つの光源と第２のレーザスキャナユニットの二つの光源とが画像形成装置の二つの相反する側面に配置されており、
前記第３の光源から前記第３の感光体までの前記第３のレーザ光の光路形状は前記第２の光源から前記第２の感光体までの前記第２のレーザ光の光路形状と略同一であり、前記第４の光源から前記第４の感光体までの前記第４のレーザ光の光路形状は前記第１の光源から前記第１の感光体までの前記第１のレーザ光の光路形状と略同一であり、
前記第３の感光体の回転中心と前記第４の感光体の回転中心を結ぶ第２の仮想線が、前記第１の感光体の回転中心と前記第２の感光体の回転中心を結ぶ第１の仮想線に対して傾斜しており、前記第２の回転鏡の回転軸と前記第２の仮想線のなす角が前記第１の回転鏡の回転軸と前記第１の仮想線のなす角に等しいことを特徴とする画像形成装置。
【手続補正２】
【補正対象書類名】明細書
【補正対象項目名】００１１
【補正方法】変更
【補正の内容】
【００１１】
前記目的を達成するための本発明に係る代表的な構成は、第１及び第２のレーザ光を出射する第１のレーザスキャナユニットと、第３及び第４のレーザ光を出射する第２のレーザスキャナユニットと、前記第１のレーザ光が照射される第１の感光体と、前記第２のレーザ光が照射される第２の感光体と、前記第３のレーザ光が照射される第３の感光体と、前記第４のレーザ光が照射される第４の感光体と、を有する画像形成装置において、前記第１のレーザスキャナユニットは、前記第１のレーザ光が発生する第１の光源と、前記第２のレーザ光が発生する第２の光源と、前記第１及び第２の光源から発生する前記第１及び第２のレーザ光を偏向する第１の回転鏡と、を有し、前記第２のレーザスキャナユニットは、前記第３のレーザ光が発生する第３の光源と、前記第４のレーザ光が発生する第４の光源と、前記第３及び第４の光源から発生する前記第３及び第４のレーザ光を偏向する第２の回転鏡と、を有し、前記第３の光源から前記第３の感光体までの前記第３のレーザ光の光路形状は前記第１の光源から前記第１の感光体までの前記第１のレーザ光の光路形状と略同一であり、前記第４の光源から前記第４の感光体までの前記第４のレーザ光の光路形状は前記第２の光源から前記第２の感光体までの前記第２のレーザ光の光路形状と略同一であり、前記第３の感光体の回転中心と前記第４の感光体の回転中心を結ぶ第２の仮想線が、前記第１の感光体の回転中心と前記第２の感光体の回転中心を結ぶ第１の仮想線に対して傾斜しており、前記第２の回転鏡の回転軸と前記第２の仮想線のなす角が前記第１の回転鏡の回転軸と前記第１の仮想線のなす角に等しいことを特徴とする。